(57)【要約】【課題】水槽内からの作業を必要とせずに製造可能な水槽を提供すること。【解決手段】対向する２枚の板状体の周縁部がスペーサ枠材を介して接着されていることを特徴とする水槽。前記スペーサ枠材の外周側にシーリング材を有し、前記シーリング材が前記板状体の端面の外周まで形成されていることが好ましい。また、板状体の周縁部外側に固定部材が嵌入されていることが好ましい。水槽内の奥行きが１０ｍｍ以上１００ｍｍ以下であることが好ましい。スペーサ枠材がコの字形状の断面を有し、スペーサ枠材と板状体がシリコン系接着剤で接着されていることが好ましい。【選択図】図１
2010183920.tif 000002
【特許請求の範囲】
【請求項１】
対向する２枚の板状体の周縁部がスペーサ枠材を介して接着されていることを特徴とする
水槽。
【請求項２】
スペーサ枠材の外周側にシーリング材を有し、前記シーリング材が板状体の端面の外周まで形成されている請求項１に記載の水槽。
【請求項３】
板状体の周縁部外側に固定部材が嵌入されている請求項１又は２に記載の水槽。
【請求項４】
水槽内の奥行きが１０ｍｍ以上１００ｍｍ以下である請求項１〜３いずれか１つに記載の水槽。
【請求項５】
スペーサ枠材がコの字形状の断面を有する請求項１〜４いずれか１つに記載の水槽。
【請求項６】
スペーサ枠材と板状体がシリコン系接着剤で接着されている請求項１〜５いずれか１つに記載の水槽。
【請求項７】
シーリング材がブチル系ゴムである請求項１〜６いずれか１つに記載の水槽。
【請求項８】
水槽が、パネル装置に一体に装着するために使用される請求項１〜７いずれか１つに記載の水槽。
【発明の詳細な説明】
【技術分野】
【０００１】
本発明は水槽に関するものである。
【背景技術】
【０００２】
水槽の作製には、板状体同士を１液型又は２液型重合型接着剤で接着したり、アクリル板状体を使用する場合には、接着部分を溶剤で溶解膨潤させてから締め付けて、乾燥固化させる膨潤接着法が使用されている。このような方法で水槽を作製する場合、水槽内部からの組み立て作業、例えば、接着、補強、シーリング等が必要であり、内部からの作業が困難な薄型の水槽は、漏水の問題のために製造が困難であった。
また、特許文献１には、薄型の水槽が記載されているものの、具体的な水槽の水密構造については開示されていない。
【先行技術文献】
【特許文献】
【０００３】
【特許文献１】特開平１１−１０３７１６号公報
【発明の概要】
【発明が解決しようとする課題】
【０００４】
本発明の課題は、水槽内からの組み立て作業を必要とせずに製造可能な水槽を提供することである。
【課題を解決するための手段】
【０００５】
本発明の上記課題は下記の＜１＞に記載の手段により解決された。好ましい実施態様である＜２＞〜＜７＞と共に以下に記載する。
＜１＞  対向する２枚の板状体の周縁部がスペーサ枠材を介して接着されていることを特徴とする水槽、
＜２＞  スペーサ枠材の外周側にシーリング材を有し、前記シーリング材が板状体の端面の外周まで形成されている＜１＞に記載の水槽、
＜３＞  板状体の周縁部外側に固定部材が嵌入されている＜１＞又は＜２＞に記載の水槽、
＜４＞  水槽内の奥行きが１０ｍｍ以上１００ｍｍ以下である＜１＞〜＜３＞いずれか１つに記載の水槽、
＜５＞  スペーサ枠材がコの字形状の断面を有する＜１＞〜＜４＞いずれか１つに記載の水槽、
＜６＞  スペーサ枠材と板状体がシリコン系接着剤で接着されている＜１＞〜＜５＞いずれか１つに記載の水槽、
＜７＞  シーリング材がブチル系ゴムである＜１＞〜＜６＞いずれか１つに記載の水槽、
＜８＞  ２本の横スペーサ枠材及び２本の縦スペーサ枠材が２枚の矩形板状体の周縁部に矩形を形成するように配置され、４本のスペーサ枠材は形成された矩形の４角においてＬ字形の直角結合部材で結合され、片方の横スペーサ枠材には開口を設けた＜１＞〜＜７＞いずれか１つに記載の水槽、
＜９＞  前記水槽が、パネル装置に一体に装着するために使用される＜１＞〜＜８＞いずれか１つに記載の水槽。
【発明の効果】
【０００６】
本発明によれば、水槽内からの組み立て作業を必要とせずに製造可能な水槽を提供することができた。
【図面の簡単な説明】
【０００７】
【図１】図１は本発明の水槽の一例を示す模式的な斜視図である。
【図２】図２は、図１におけるＸ−Ｘ’断面の一端部の拡大図である。
【図３】図３は、図１におけるＹ−Ｙ’縦断面の底部の角部を示す拡大図である。
【図４】図４は、本発明の水槽の他の好ましい実施態様の一例を示す断面図である。
【図５】図５は、本発明の水槽の他の好ましい実施態様の一例を示す断面図である。
【図６】図６は、本発明に好ましく使用できるパネル装置の一例を示す概略図である。
【図７】図７は、図６に示すパネル装置の縦断面図である。
【図８】図８は、図７の部分拡大図である。
【発明を実施するための形態】
【０００８】
本発明の水槽は対向する２枚の板状体の周縁部がスペーサ枠材を介して接着されていることを特徴とする。本発明の水槽は、前記スペーサ枠材の外周側にシーリング材を有し、前記シーリング材が前記板状体の端面の外周まで形成されていることが好ましい。また、板状体の周縁部外側に固定部材が嵌入されていることが好ましく、水槽内の奥行きが１０ｍｍ以上１００ｍｍ以下であることが好ましい。スペーサ枠材はコの字形状の断面を有し、スペーサ枠材と板状体がシリコン系接着剤で接着され、前記シーリング材がブチル系ゴムであることが好ましい。
また、２本の横スペーサ枠材及び２本の縦スペーサ枠材が２枚の矩形板状体の周縁部に矩形を形成するように配置され、４本のスペーサ枠材はその形成された矩形の４角においてＬ字形の直角結合部材で結合され、片方の横スペーサ枠材には開口を設けた水槽であることが好ましい。また、固定部材が板状体の４辺に嵌入されており、開口を有するスペーサ枠材の外側には固定部材にも開口を設けるか又は固定部材が嵌入されていないことも好ましい。
これらの水槽を装着したパネル装置も好ましい。
以下の説明において、好ましい実施態様を２以上組合せることにより、より好ましい水槽又はパネル装置を提供することができる。
【０００９】
本発明において、「水槽」とは、水等の液体を収容する容器を意味し、収容する液体は水に限定されるものではなく、いずれの液体を選択することもできる。これらの中で、収容する液体としては水又は水性の液体並びにこれらの混合物が好ましい。水性の液体としては、ポリグリセリン、グリセロール、グリコール等が例示できる。また、収容する液体は、防腐剤、防かび剤等を含有していても良いし、着色されていてもよい。
以下、本発明の水槽を図を用いて説明する。なお、以下、同一の符号は同一の対象を指すものとして使用する。
【００１０】
図１は本発明の水槽の一例を示す模式的な斜視図である。
図１のａは水槽の内側の奥行き（厚さ）、ｂは水槽の内側の幅、ｃは水槽の内側の高さを示している。
本発明の水槽１００は、対向する２枚の板状体１０２、１０２’の周縁部がスペーサ枠材１０４を介して接着されている。
また、図１では、スペーサ枠材１０４の外周側にシーリング材１１２を有し、水槽が水密に封止されている。また、前記シーリング材１１２が前記板状体１０２、１０２’の端面１１０の外周まで形成されている。
また、図１において、水槽１００の板状体１０２、１０２’の周縁部外側には、固定部材１２０が嵌入されている。固定部材１２０は水槽の両側面及び底面並びに上面の各辺に連続した１つの部材を使用することもできる。
【００１１】
本発明の水槽は、特に薄型の水槽に好適に使用できる。本発明の水槽は、従来の水槽のように水槽内部に人の手を入れての組み立て作業なしに製造することができるので、内部からの組み立て作業が困難な薄型の水槽に好適である。なお、組み立て作業とは、接着作業や、補強作業、シーリング作業等、水槽の製造時に必要とされる作業を広く意味するものである。
【００１２】
具体的には、本発明の水槽は、１０ｍｍ以上１００ｍｍ以下（本発明において、「１０ｍｍ以上１００ｍｍ以下」を「１０〜１００ｍｍ」とも記載することとする。以下、同様。）の内側の奥行き（厚さ）ａを有する水槽に好適であり、より好ましくは２０〜８０ｍｍであり、さらに好ましくは２０〜７０ｍｍである。なお、本発明において水槽の奥行きとは、横断面が矩形の水槽における短辺の長さである。本発明の水槽は、水槽内部からの作業が困難である、上記の奥行き（厚み）を有する水槽に特に好適である。
また、上記の水槽の奥行きは、使用するスペーサ枠材の幅を選択することにより調整可能である。
【００１３】
本発明の水槽の幅ｂは、特に限定されず、所望の大きさで選択することができるが、３００〜１８００ｍｍであることが好ましく、６００〜１２００ｍｍであることがより好ましい。水槽の幅を上記範囲にすることにより、強度に優れた水槽となるので好ましい。
【００１４】
本発明の水槽の横断面のアスペクト比、すなわち、水槽の（幅：奥行き）は１，８００：１０〜３００：１００（１８０〜３）が好ましく、１，２００：２０〜６００：８０（６０〜７．５）がより好ましく、１，２００：３０〜６００：７０（４０〜８．６）がさらに好ましい。
アスペクト比が大きな水槽は、上述の通り水槽内部からの作業が困難であり、従来の方法では水密性の高い水槽を得ることが困難であった。本発明の水槽は、上記のアスペクト比を有する水槽に特に好適である。
【００１５】
以下、図面を参照して本発明の水槽についてさらに詳述する。
図２は、本発明の水槽の縦断面の一端部の拡大図である。なお、断面方向は、図１におけるＸ−Ｘ’方向である。
図２（ａ）に示すように、本発明の水槽２００は、２枚の板状体２０２、２０２’が対向して配置されている。
【００１６】
本発明において、板状体は、少なくとも１つが透明又は半透明であることが好ましく、少なくとも１つが透明であることがより好ましく、両方が透明な板状体であることがさらに好ましい。透明な板状体とすることにより、外部からの視認性が向上するので好ましい。ここで、「透明である」とは可視領域における光の透過率（透光率）が９０％以上のことを意味し、９５％以上であることがより好ましい。
なお、本発明において、板状体を着色された透明着色板状体とすることもできるし、板状体に模様が付されていても良い。
【００１７】
板状体の形状は特に限定されるものではないが、矩形であることが好ましい。
板状体の材質や厚みは、必要とされる強度や性能（視認性、透光性等）に応じて適宜選択することができる。
板状体の材質としては、無機ガラス、有機ガラス等が例示でき、有機ガラスとしてはアクリル樹脂（ポリメタクリル酸メチル樹脂等）及びポリカーボネート樹脂が例示できる。また、無機ガラスとしては、一般的な無機ガラスの他、強化ガラスを使用することも好ましい。さらに、有機ガラス及び／又は無機ガラスを複数枚積層した、合わせガラスを使用することもでき、例えば、合わせガラスとしては、無機ガラスの間に樹脂製の中間膜を挟んで接着したものが例示できる。
【００１８】
また、板状体の表面（いずれかの面、又は両面、好ましくは外表面）に飛散防止フィルムを貼付することも好ましい。飛散防止フィルムを貼付することにより、板状体破損時の安全性を向上させることができ、また、板状体の強度を向上させることができるので好ましい。特に、飛散防止フイルムを貼付することにより、人体や物がガラスへ衝突した際や、地震等のガラスのゆがみによってガラスが破損した場合に、ガラス破片による被害を少なくすることができるので好ましい。飛散防止フイルムとしては、ポリエステルフィルム又はポリ塩化ビニルフィルムに感圧粘着剤を塗布したものが例示でき、ポリエステルフィルムがより好ましい。また、飛散防止フィルムの外表面にさらにハードコート処理を行っていてもよい。
各種の飛散防止フィルムが上市されており、具体的には、ＣＬＭ−２ＨＣ、ＣＬＭ−２Ｘ（三晶株式会社製）が例示でき、ＣＬＭ−２ＨＣ（ハードコート処理フィルム）が特に好ましい。
また、板状体の外表面に防曇加工を施すこともできるし、板状体の内表面に防藻処理、防黴処理等を施すこともできる。
【００１９】
板状体２０２及び２０２’の周縁部は、スペーサ枠材（本発明において、スペーサ枠材を単に枠材ともいう。）２０４を介して接着されている。スペーサ枠材２０４は、少なくとも２側面及び底面に嵌入する間隔保持部材であり、スペーサ枠材２０４の幅ｄにより、水槽の内部の奥行きａを適宜調整することができる。
スペーサ枠材２０４の材質は水槽に収容する液体を透過せず、収容する液体によって腐食されにくく、また、強度の高いものであることが好ましく、さらに加工に適する材質であることが好ましい。スペーサ枠材の材質としては金属、ガラス、樹脂等が例示できる。また、耐水性向上等を目的として、スペーサ枠材に表面処理を行っても良い。
これらの中でも、スペーサ枠材は金属製であることが好ましく、金属としては、アルミ、ステンレスが例示できる。これらの中でも、スペーサ枠材はアルミ製であることが好ましい。アルミ製の枠材は加工性に優れ、耐水性（水への耐腐食性）に優れるので好ましい。また、アルミ製の枠材は強度に優れるので好ましい。
【００２０】
スペーサ枠材２０４の断面形状は特に限定されず、図２（ａ）における例示は、スペーサ枠材の断面はコの字形状である。スペーサ枠材２０４の断面形状としては、矩形及び略コの字形であることが好ましく、略コの字形であることがより好ましく、コの字形であることがさらに好ましい。また、スペーサ枠材と板状体との接着面積は広いことが好ましい。従って、スペーサ枠材が矩形である場合、スペーサ枠材の板状体と接触する角部に切り欠き等を有しないことが好ましい。
スペーサ枠材の断面形状は、完全なコの字形（図２（ａ）及び図２（ｂ）参照）の他に、コの字の中央部が水槽の内部又は外部に向かって傾斜した山形又は谷型の形状とすることもできる。
中央部が水槽の内部に向かって傾斜した山形形状としたスペーサ枠材２０４を使用した水槽の断面図を図２（ｃ）に示す。
また、スペーサ枠材２０４は、断面がコの字形の１つの部材とすることもできるし、断面がＬ字形の２つの部材を組み合わせて形成することもできる。
【００２１】
スペーサ枠材２０４と板状体２０２、２０２’は、接着剤２０６、２０６’とによってそれぞれ接着されている。接着剤はスペーサ枠材と板状体を接着する十分な接着力を有していれば特に限定されない。本発明において、接着剤として感圧接着剤、各種の有機合成接着剤を使用することができる。
【００２２】
有機合成接着剤としては、フェノール樹脂系、アミノ樹脂系、エチレン共重合体系、ポリ酢酸ビニル系、ポリビニルアセタール系、ポリウレタン系、エポキシ樹脂系、ポリアクリル酸エステル系、ポリアミド系、ポリエステル系、シリコン系、ポリ塩化ビニル共重合体系及びそれらを組み合わせたハイブリッド型シリコン系接着剤等を使用することができる。
【００２３】
感圧接着剤は、支持基材の両面に粘着材を塗布した、所謂、両面テープが例示できる。支持基材としては紙、ポリプロピレン、ガラス繊維で強化されたフィルムや紙、ポリエチレンを貼り合わせた布、アセテートフィルム、ポリエチレンテレフタレート、ポリ塩化ビニル、各種の不織布が例示できる。粘着材の原材料としては天然ゴム、ＡＢＡ型のトリブロック共重合体（Ａはポリスチレン、Ｂはポリジエン）、スチレン−ブタジエンゴム、ポリイソブチレン、再生ゴム、エチレン−酢酸ビニル共重合体、アクリル系（アクリル酸−２−エチルヘキシル、アクリル酸ブチル等）、酢酸ビニル共重合体、シリコーンポリマー等が例示できる。
【００２４】
これらの中でも、両面テープ及びシリコン系接着剤を使用することが好ましい。
両面テープは上市されており、公知の両面テープから選択することができる。例えば、不織布にアクリル系粘着剤が塗布された両面テープが好ましく、日東電工株式会社製  ５０００Ｎ（Ｃ）Ｂが例示できる。
また、シリコン系接着剤としては、公知のシリコン系接着剤を適宜選択することができ、例えばセメダイン  バスコークＮ（セメダイン社製）が例示できる。
接着剤としてはシリコン系接着剤を使用することが耐水性及び接着性の観点で好ましい。
【００２５】
本発明において、スペーサ枠材の外周側に、板状体の端面の外周までシーリング材が形成されていない場合には、接着剤が、スペーサ枠材の端面２３０、２３０’の外周まで形成されていることが好ましい。また、この場合、接着剤は耐水性を有することが好ましく、有機合成接着剤とすることがより好ましい。特に、接着剤としてシリコン系接着剤を使用することが好ましい。
シーリング材を有していない場合、接着剤のみによって水槽を水密に封止する必要がある。従って、スペーサ枠材と接着剤の間から水槽に収容された液体が漏れることを防止するために、接着剤２０６、２０６’がスペーサ枠材の端面２３０、２３０’の外周まで形成されていることが好ましい。接着剤をスペーサ枠材の板状体に対する接着面積に対して過剰に付与することにより、板状体の端面の外周まで接着剤を形成することができる。
【００２６】
次に、図２（ｂ）を参照して説明する。
本発明において、図２（ｂ）に示すように、スペーサ枠材２０４の外周側には、シーリング材２１２が板状体２０２、２０２’の端面２１０、２１０’の外周まで充填されていることが好ましい。図２（ｂ）では、スペーサ枠材２０４の外周側において、板状体２０２、２０２’の間は完全に封止されている。なお、端面とは、板状体のはしの面であり、かつ、両側面、上部及び底部方向の端面を意味する。
【００２７】
シーリング材としては、公知のシーリング材から選択して使用することができ、ポリマー系と併用する充填材等の処方を選択することが好ましい。ポリマー系としてはシリコーン系ポリマー、ポリスルフィド、ポリウレタン、アクリル系、ブチル系ポリマー、クロロスルホン化ポリエチレン、スチレントリブロック共重合体、嫌気性シール材、ビチューメン、マスチックなどが例示でき、例えば「高分子大辞典」、丸善、平成６年９月２０日発行、第４８３〜４８５頁に記載されている。これらの中でも、ポリマー系としてはポリスルフィド及びブチル系ポリマーを使用することができる。また、ポリマー系と併用する成分としては、充填材の他に、架橋剤、触媒、可塑剤、酸化防止剤、溶媒、顔料、粘着付与剤、粘調剤、界面活性剤、チキソトロープ剤、防腐剤、防黴剤等が例示できる。
これらの中でも、シーリング材はポリマー系としてブチル系ポリマー、特にブチルゴムを含むものであることがより好ましい。ブチルゴムはイソブチレンと少量のイソプレンをカチオン重合して得られ、封止性が高く、また、加工性に優れるので好ましい。ブチルゴムを含むシーリング材としては、ホットメルト型のシーリング材が好ましく、ＨＯＴＶＥＲ  ２０００（ＦＥＮＺＩ社製）、ＰＨＭ−４０（ＩＰＩ  ＰＯＬＹＭＥＲ社製）が例示でき、ＨＯＴＶＥＲ  ２０００を特に好適に使用することができる。なお、ＨＯＴＶＥＲ  ２０００は、樹脂成分としてブチルゴム、ポリα−オレフィン、炭化水素樹脂、ポリブテン等を含有し、１７０〜１９０℃程度で使用される。ブチルゴムを含むシーリング材は、加工性に優れると共に、水密性の高い水槽を得ることができるので好ましい。
また、チオコール（商標名）を含むホットメルト型のポリスルフィド系シーリング材も好ましく使用できる。
【００２８】
本発明において、シーリング材２１２は板状体２０２、２０２’の端面２１０、２１０’の外周まで形成されていることが好ましい。図２（ｂ）に示すように、シーリング材を板状体の端面の外周まで形成すると、水槽に液体を入れた場合、板状体２０２、２０２’に沿って水槽内から液体が漏出することが防止でき、水密構造の維持が良好であるので好ましい。本発明において、板状体の端面の外周までシーリング材を形成することにより、水密構造を長期に維持することが可能であるので好ましい。
【００２９】
なお、シーリング材２１２が板状体２０２、２０２’の端面の外周まで形成されている場合には、接着剤２０６、２０６’は有機合成接着剤を使用してもよく、また、感圧接着剤を使用することもできる。シーリング材によって封止されているので、耐水性が低い感圧接着剤を使用しても、水密構造とすることができる。
【００３０】
シーリング材は端面の外周の四辺全体にも形成されている必要はなく、少なくとも端面の一部にかかるまで設けられており、水槽内部からの水の浸出を抑制できれば良いが、左右側面及び底面の端面の外周全面に設けられていることがより好ましい。
【００３１】
シーリング材の形成方法は適宜選択することができる。一例を挙げれば、スペーサ枠材を介して２枚の板状体を接着した後、板状体の外表面の延長に土手を形成する。スペーサ枠材と土手により形成された領域に溶融させたブチルゴムを流し込み、十分に硬化させた後、土手を外すと共に、余分なシーリング材を適宜切り取ることで、板状体の端面の外周にまでシーリング材を形成することができる。
【００３２】
図２において、板状体２０２、２０２’の周縁部外側には、固定部材２２０がはめ込まれ（嵌入され）、板状体２０２、２０２’の間隔が広がるのを抑制している。
固定部材２２０は板状体２０２、２０２’を挟みこんでおり、水槽に液体を入れること等により、水槽内から水槽外へと働く力による水槽の変形を抑制し、水密構造の維持に有効である。但し、本発明において固定部材は必須ではなく、水槽の大きさや、付加される水圧等により採用すればよいが、水密構造の維持には、固定部材を設けることが好ましい。
また、後述のパネル装置では、パネル装置側に固定部材を設けることもできる。また、水槽を固定する台座や、受け座に固定部材を設けることも好ましい。
【００３３】
図１に示すように、固定部材１２０は、水密される板状体の周縁部外側の一部に設けていてもよい。図１では、短い固定部材１２０を複数個設けており、複数の固定部材を使用することは、水槽の作製が容易である点から好ましい。なお、固定部材１２０を水密される辺の全体に形成することもできる。
固定部材は、水密される一辺の長さの５０％以上に設けられていることが好ましく、６０〜１００％であることがより好ましく、６０〜９０％であることがさらに好ましい。固定部材の設けられている長さを上記範囲内とすることにより、水密性が向上し、長期にわたって水密性を維持することができるので好ましい。
【００３４】
固定部材２２０の材質は特に限定されないが、強度及び加工の容易性から、金属製であることが好ましく、特にステンレス製又は鉄製であることが好ましい。
【００３５】
板状体２０２、２０２’の固定部材２２０への嵌入は、弾性体２２２、２２２’を介して行うことが好ましい。弾性体を介することによって、板状体の傷付きを防止することができ、また、板状体のヒビや欠けを防止することができるので好ましい。弾性体としては特に限定されないが、弾性ゴムが好ましく例示できる。
【００３６】
図１に示すように、本発明において、少なくとも水槽の底部、及び左右側部にスペーサ枠材及び必要に応じてシーリング材で封止された上記の構成を採用することが好ましい。なお、水槽の上部も同様に封止後、上部に改めて開口を設けることもできる。また、水槽の上部の一部に上記の構成を採用することもできる。水槽の上部にも上記の構成を採用することにより、水槽上部において水圧等により板状体が外側へ歪むことが抑制されるので好ましい。
【００３７】
次に、水槽の角部について、図１及び図３を参照して説明する。なお、図３において、固定部材は不図示としている。
スペーサ枠材は予め一体に製造することもできるが、スペーサ枠材の加工の容易性から、図３に示すように、縦スペーサ枠材と、横スペーサ枠材を組み合わせて水槽のスペーサ枠材とすることが好ましい。
図３は、水槽の底部角部の拡大図の一例である。図３（ａ）は平面図であり、図３（ｂ）は図１におけるＹ−Ｙ’縦断面の左側面底部の角部を示す拡大図である。
図１及び図３（ａ）を参照すれば、対向する板状体３０２の左側面は、上下方向に設けられた縦スペーサ枠材３３０を介して接着されている。また、板状体の底面は、水平方向に設けられた横スペーサ枠材３３２を介して接着されている。図３（ａ）を参照すれば、上下方向に設けられた縦スペーサ枠材３３０の下端は、横スペーサ枠材３３２と同じ高さとなるように設けられている。一方、横スペーサ枠材３３２は、縦スペーサ枠材３３０に接するように配置されている。また、図３（ａ）に示す平面図では、板状体３０２の外周に、板状体の端面の外側まで形成されているシーリング材３１２が観察される。また、角部には、Ｌ字形の直角結合部材３４５が結合されている。なお、直角結合部材３４５と縦スペーサ枠材３３０又は横スペーサ枠材３３２との結合は、接着でもよいし、ネジ等により螺合されていてもよい。
【００３８】
次に図３（ｂ）を用いて説明する。図３（ｂ）において、３３０及び、３３２は、それぞれ縦スペーサ枠材及び横スペーサ枠材の厚み（図３（ａ）における３３０及び３３２の点線で示した枠材の厚み）が図示されている。
縦スペーサ枠材３３０には、切り抜き３４０が設けられており、Ｌ字形の直角結合部材３４５が接着剤により接着されている。
このように直角結合部材を設けることにより、水槽の形状維持が強固になり、また、水密性が向上するので好ましい。
なお、横スペーサ枠材、及び、予め切り抜きを設けた縦スペーサ枠材を介して板状体を接着後、直角結合部材を結合することもできるし、直角結合部材と、縦スペーサ枠材及び横スペーサ枠材とを結合して、スペーサ枠材を組み立てた後、板状体に接着することもできる。
縦スペーサ枠材と横スペーサ枠材を介して板状体を接着後、直角結合部材を結合することがより好ましい。
なお、スペーサ枠材と板状体を接着したのち、上述の通りシーリング材による封止を行うことが好ましい。
【００３９】
また、本発明において、２本の横スペーサ枠材及び２本の縦スペーサ枠材が、二枚の矩形板状体の周縁部に矩形を形成するように配置され、４本のスペーサ枠材は、そのスペーサ枠材により形成された矩形の４角においてＬ字形の直角結合部材で結合され、片方の横スペーサ枠材に開口を設けた水槽が好ましい。
すなわち、前記のＬ字形の直角結合部材を用いて、対向する矩形の板状体の四辺を封止し、横スペーサ枠材の一方に後から開口を設けて水槽とすることが好ましい。このような水槽は枠材により強固に支持されているので、形状維持安定性が高いので好ましい。
また、固定部材が板状体の４辺に嵌入されており、開口を有するスペーサ枠材の外側には固定部材にも開口を設けるか又は固定部材が嵌入されていないことも好ましい。
【００４０】
本発明の水槽の他の好ましい実施態様を図４を用いて以下に説明する。
図４は、本発明の水槽の他の好ましい実施態様の一例を示す断面図である。
図４において、スペーサ枠材が２つ設けられている。すなわち、図２に示す水槽のさらに水槽内側に、第２のスペーサ枠材２０５が配置されている。
第２のスペーサ枠材２０５は、接着剤２０６、２０６’により、板状体に接着されている。また、シーリング材２１２による封止は、第１のスペーサ枠材２０４の外周側のみで行われており、シーリング材２１２は、板状体２０２、２０２’の端面２１０、２１０’の外周まで形成されている。
【００４１】
本構成を採用することにより、２つのスペーサ枠材によって、水槽形状の支持力が高まるため好ましい。また、第１のスペーサ枠材２０４と、第２のスペーサ枠材２０５の間の空間に、水槽に必要とされる種々のラインを通すことにより、ラインの目隠しをすることができるので好ましい。水槽に必要とされるラインとしては、エアポンプ用の空気、酸素あるいは二酸化炭素等を送るための送気ライン、水槽の温度を一定にするための加熱装置の電源等が例示できる。
エアポンプを使用する場合には、左右側面の第２スペーサ枠材の底部近傍に開口を設け、水槽の内側底部に沿わせて這わせたチューブから気泡を発生させることもできる。
【００４２】
図５は、本発明の水槽の他の好ましい実施態様の一例を示す断面図である。
図５において、スペーサ枠材２０４と板状体２０２、２０２’の接着に用いられる接着剤２０６、２０６’が、スペーサ枠材の端面２３０、２３０’の外周まで形成されている。接着剤２０６、２０６’をスペーサ枠材の端面の外周まで形成することにより、水槽内の水の浸出を、より防止することができるので好ましい。本発明において、図５に示すように、接着剤２０６をスペーサ枠材２０４の端面２３０、２３０’の外周まで形成すると共に、シーリング材２１２を板状体２０２、２０２’の端面２１０、２１０’の外周まで形成することが好ましい。
【００４３】
なお、本発明の水槽は、上記の実施態様に限定されるものではない。
【００４４】
本発明の水槽は、様々な用途に使用することができ、特に限定されない。
例えば、観賞用魚飼育用の水槽や、水中植物を配して観賞用水槽とすることができる。また、水槽の下部から気泡を発生させて、室内装飾具とすることもできる。室内装飾具としては、水槽内に水又は水と水混和性の溶媒（例えば、グリセリン、エチレングリコール等）に必要に応じて防腐剤、着色剤を添加し、水槽内に気泡を発生させる室内装飾具が例示できる。また、適宜照明を適用することも好ましい。
本発明の水槽は、そのままで壁掛けとしたり、水槽台に設置することも好ましい。また、座席同士の仕切りや、大型の間仕切り、パネル装置及びそれらの一部としても使用することができる。
使用用途に応じて、照明を配したり、送気ポンプ、水循環ポンプ等を適宜設けることが好ましい。
【００４５】
特に、本発明の水槽は薄型かつ大型の水槽とすることが可能であり、パネル装置に一体に装着するために使用されることが好ましい。
パネル装置は、間仕切りとして使用することもできるし、装飾用の壁として使用することもできる。
本発明の水槽は、以下のパネル装置に特に好適に使用できる。
【００４６】
＜パネル装置＞
本発明において、パネル装置は、左右１対の支柱を、上下方向に離間する複数の横フレームにより連結することによって、上下方向に１段又は多段状の方形の空間を有するパネル枠体を形成し、前記パネル枠体内に、少なくとも片側が透明な２枚の板状体を水密に対向させた水槽を装着したことを特徴とする。
【００４７】
図６〜図８を参照して以下に詳述する。
図６は、本発明に好ましく使用できるパネル装置の一例を示す概略図である。また、図７は、図６に示すパネル装置の縦断面図である。図８は、図７の部分拡大図である。
図６において、パネル装置６００は、左右一対の支柱６０１、６０１’が、上下方向に離間する複数の横フレーム６０５〜６０８によって連結されており、上下方向に三段の方形空間を有するパネル枠体を形成している。ここで、パネル枠体とは、支柱と横フレームと必要に応じて天井又は床とで形成された方形空間を意味する。従って、図６では、パネル装置６００は３つのパネル枠体を有している。
ここで、支柱６０１、６０１’の連結は、パネル装置の最端部で行う必要はなく、パネル枠の上部と天井や、パネル枠の下部と床の間に空間が存在しても良い。
支柱６０１、６０１’、横フレーム６０５〜６０８によりパネル枠体が形成され、図６において、パネル枠体に上下方向に３つのパネルが取り付けられている。
方形の空間は１以上であれば特に限定されるものではなく、適宜選択することができる。パネル装置に形成される方形の空間は、３〜６であることが好ましく、３〜５であることがさらに好ましい。方形の空間に取り付けられるパネルの数は特に限定されず、全ての方形の空間にパネルを取り付けることもできるし、枠体のみの空間を有していてもよい。
【００４８】
また、本発明のパネル装置は、パネル枠体内に、少なくとも片側が透明な２枚の板状体を水密に対向させた水槽を装着している。図６において、パネル装置６００は上下３つのパネル枠体に、それぞれ上部パネル６１０、中央部パネル６２０及び下部パネル６３０を有し、中央部パネル６２０は、透明な板状体を水密に対向させた水槽６５０を装着している。また、上部パネルには、エアポンプ６６０が配置されている。
【００４９】
水槽を装着したパネル枠体の少なくとも前面周縁部には、不当光性の周縁枠が設けられていることが好ましい。図６中、中央部パネル６２０の前面には、周縁部が不透光性の周縁枠６５２が設けられている。
周縁枠を設けることにより、水槽に必要とされるエアポンプや排水等のための配管、配線等を目隠しすることができる。また、水槽のパネルへの固定部（下部受け座等）を目隠しすることもできるので好ましい。
また、図６では、周縁枠６５２は開口部を有する扉となっており、丁番６５６及び留め具６５８により開閉可能となっている。
周縁枠は少なくとも水槽が視認される側（前面）に設けられていることが好ましく、パネル装置の両面（前後）から水槽が視認可能である場合には、前後の両面に周縁枠を設けることが好ましい。
【００５０】
また、水槽を装着したパネルの下に、水槽からの排水を貯留する排水タンクが備えられていることが好ましい。図６では、下部パネル６３０の内部に、水槽からの排水を貯留する排水タンク６４０が設けられている。図６では、排水ポンプ６４５によって、水槽６５０から排水管６４６を通って、排水タンク６４０へと排水可能となっている。図６では、配水管は水槽の上部に取り付けられているが、水槽の底部に排水管を配置することも好ましい。
また、万が一、水槽が収容する液体の漏れが生じた場合にも、下部の排水タンク６４０に貯留させて、パネル装置外への液体の漏れを防止できるので好ましい。図６では、水槽の下部に排水タンク６４０へと液体を流す傾斜６７０が設けられている。
【００５１】
図７及び図８を参照して説明する。パネル装置６００は、上部を天井７６０、下部を床７６５に固定されている。上部横フレーム６０５、下部横フレーム６０６、及び不図示の横フレーム６０７、６０８並びに支柱６０１、６０１’で形成されたパネル枠体に、上部パネル６１０、中央部パネル６２０及び下部パネル６３０が取り付けられている。
なお、図７において、排水管６４６、排水ポンプ６４５は不図示である。
中央部パネル６２０には、水槽６５０が装着されている。水槽６５０は、板状体７０２及び７０２’を水密に対向してなる。板状体の少なくとも１つは、透明であることが好ましい。板状体の少なくとも１つを透明とすることにより、水槽内を視認することができるので好ましい。ここで、「透明である」とは、完全に透明であるものに限定されるものではなく、好ましくは可視光域における透光率が９０％以上であり、より好ましくは９５％以上である。また、板状体を着色透明とすることもできる。
【００５２】
板状体の水密構造の形成は、特に限定されないが、前記水槽は、対向する２枚の板状体７０２、７０２’の周縁部がスペーサ枠材７０４を介して接着されていることが好ましく、前記スペーサ材７０４の外周側にシーリング材７１２を有し、前記シーリング材が前記板状体の端面の外周まで形成されていることがさらに好ましい。
また、図７に示すように、第２のスペーサ枠材７０５が設けられていることも好ましい。
シーリング材の外周に固定部材が７２０が嵌入されていることが好ましい。また、固定部材７２０は、パネル側に設けられていてもよい。
【００５３】
図７において、水槽６５０は、中央部パネル６２０に装着されている。水槽６５０は、中央部パネル内に設けられた下部受け座７５３内に配置されている。また、水槽６５０は、水槽の上部及び下部でゴムパッキン７５４及び７５５によりそれぞれ押止されている。さらに水槽６５０の上部は、コの字状の上部抑え７５２によって止められている。
【００５４】
板状体の外部の間隔により規定される水槽６５０の外部厚さｇは、パネル枠体の厚さｈ以下であることが好ましい。パネル枠体の厚さは特に限定されないが、３０〜１００ｍｍであることが好ましく、５０〜８０ｍｍであることがさらに好ましい。
従って、水槽６５０の外部厚さｇは、１００ｍｍ以下であることが好ましく、より好ましくは８０ｍｍ以下である。
【００５５】
なお、パネル装置のその他の構成、例えば、パネルのパネル枠体への固定や、支柱とフレームの連結方法等は、公知のものを採用することができる。例えば、特開２００４−３１６１９１号公報、特開２００７−１６４９２号公報等、オカムラ製作所「ＰＵＲＯＶＡＴＯ」パンフレット（ＹＰＣＡ−１９−７１１、Ｐ．ＴＰ’０７−０１）（２００７年版）等を参照することができる。
【００５６】
パネルに装着される水槽は、撹拌手段、空気又は酸素供給手段、炭酸ガス供給手段、排水手段、餌供給手段、照明手段、水交換手段及び水質浄化手段よりなる群から選択される少なくとも１種を具備することが好ましい。
上記の手段は公知の水槽に使用されている各種の手段から適宜選択することができる。
図７において、水槽６５０の上部には、ＬＥＤライトが配置されており（不図示）、また、上部パネルには、空気供給手段であるエアポンプが配置されている。さらに、下部パネルには、排水手段である排水ポンプ６４５（不図示）及び排水タンク６４０が配置されている。
【符号の説明】
【００５７】
１００  水槽
１０２、１０２’  板状体
１０４  スペーサ枠材
１０６、１０６’  接着剤
１１０  板状体の端面
１１２  シーリング材
１２０  固定部材
２００  水槽
２０２、２０２’  板状体
２０４  スペーサ枠材
２０５  第２のスペーサ枠材
２０６、２０６’  接着剤
２１０、２１０’  板状体の端面
２１２  シーリング材
２２０  固定部材
２２２、２２２’  弾性体
２３０、２３０’  スペーサ枠材の端面
３００  水槽
３０２  板状体
３１２  シーリング材
３３０  縦スペーサ枠材
３３２  横スペーサ枠材
３４０  切り抜き
３４５  直角結合部材
６００  パネル装置
６０１、６０１’  支柱
６０５、６０６、６０７、６０８  横フレーム
６１０  上部パネル
６２０  中央部パネル
６３０  下部パネル
６４０  排水タンク
６４５  排水ポンプ
６４６  排水管
６５０  水槽
６５２  周縁枠
６５６  丁番
６５８  留め具
６６０  エアポンプ
６７０  傾斜
７０２、７０２’  板状体
７０４  スペーサ枠材
７０５  第２のスペーサ枠材
７１２  シーリング材
７２０  固定部材
７５０  ＬＥＤライト
７５２  上部抑え
７５３  下部受け座
７５４、７５５  ゴムパッキン
７６０  天井
７６５  床
ａ  奥行き
ｂ  幅
ｃ  高さ
ｄ  スペーサ枠材の幅
ｇ  水槽の外部厚さ
ｈ  パネル枠体の厚さ
【図１】
2010183920.tif 000003
【図２】
2010183920.tif 000004
【図３】
2010183920.tif 000005
【図４】
2010183920.tif 000006
【図５】
2010183920.tif 000007
【図６】
2010183920.tif 000008
【図７】
2010183920.tif 000009
【図８】
2010183920.tif 000010
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
対向する２枚の板状体の周縁部がスペーサ枠材を介して接着されており、
板状体の周縁部外側に固定部材が嵌入されており、
スペーサ枠材がコの字形状の断面を有することを特徴とする
水槽。
【請求項２】
コの字形状の断面を有するスペーサ枠材の凹側が水槽の外部を向いている請求項１に記載の水槽。
【請求項３】
コの字形状の断面を有するスペーサ枠材の凹側内部に充填された部分と、板状体に接する部分とを有するシーリング材をスペーサ枠材の外周側に更に有する請求項１又は２に記載の水槽。
【請求項４】
スペーサ枠材の内側に配置された他のスペーサ枠材を更に有する請求項１〜３いずれか１つに記載の水槽。
【請求項５】
他のスペーサ枠材がコの字形状の断面を有する請求項４に記載の水槽。
【請求項６】
水槽内の奥行きが１０ｍｍ以上１００ｍｍ以下である請求項１〜５いずれか１つに記載の水槽。
【請求項７】
スペーサ枠材と板状体がシリコン系接着剤で接着されている請求項１〜６いずれか１つに記載の水槽。
【請求項８】
シーリング材がブチル系ゴムである請求項１〜７いずれか１つに記載の水槽。
【請求項９】
水槽が、パネル装置に一体に装着するために使用される請求項１〜８いずれか１つに記載の水槽。